(57)【要約】【課題】無線通信機能の規格に対応していない電子機器に対して無線機能を容易に追加することができるとともに、可搬記録媒体間でのデータ転送を容易にする可搬記録媒体を実現する。【解決手段】データ記憶領域１０を有し、外部電子機器の記憶媒体用スロットに着脱自在に装着される本発明の実施例による可搬記憶媒体１は、記憶媒体用スロットに装着可能な筐体１１と、データ記憶領域１０から読み出されたデータもしくはデータ記憶領域１０へ書き込まれるデータを、外部電子機器の記憶媒体用スロットに筐体１１が装着されたときに当該外部電子機器との間で通信するためのインタフェース１２と、データ記憶領域１０から読み出されたデータもしくはデータ記憶領域１０へ書き込まれるデータを、インタフェース１２を介さずに外部電子機器との間で無線通信するための、筐体内１１に設けられる無線通信部１３と、を備える。【選択図】図１
2008158737.tif 000002
【特許請求の範囲】
【請求項１】
データ記憶領域を有し、外部電子機器の記憶媒体用スロットに着脱自在に装着される可搬記憶媒体であって、
記憶媒体用スロットに装着可能な筐体と、
前記データ記憶領域から読み出されたデータもしくは前記データ記憶領域へ書き込まれるデータを、外部電子機器の記憶媒体用スロットに前記筐体が装着されたときに当該外部電子機器との間で通信するためのインタフェースと、
前記データ記憶領域から読み出されたデータもしくは前記データ記憶領域へ書き込まれるデータを、前記インタフェースを介さずに外部電子機器との間で無線通信するための、前記筐体内に設けられる無線通信部と、
を備えることを特徴とする可搬記憶媒体。
【請求項２】
前記無線通信部は、
所定の範囲内に無線通信可能な外部電子機器が存在するか否かを検索する検索手段と、
無線通信可能な外部電子機器を前記検索手段が検出した場合、当該外部電子機器の識別情報を取得する取得手段と、
前記識別情報を前記データ記憶領域に格納する格納手段と、を備える請求項１に記載の可搬記憶媒体。
【請求項３】
前記識別情報は、前記検索手段が検出した外部電子機器に予め割り当てられた画像情報である請求項２に記載の可搬記憶媒体。
【請求項４】
前記識別情報は、前記検索手段が検出した外部電子機器のＭＡＣアドレスに基づいて生成された画像情報である請求項２に記載の可搬記憶媒体。
【請求項５】
前記識別情報は、前記検索手段が検出した外部電子機器のＭＡＣアドレスが記述された情報である請求項２に記載の可搬記憶媒体。
【請求項６】
前記格納手段は、前記識別情報を画像データ形式で前記データ記憶領域内のＤＣＩＭフォルダに格納する請求項２に記載の可搬記憶媒体。
【請求項７】
前記格納手段は、前記識別情報とともに、当該外部電子機器との間における無線通信の通信条件に関する設定データを、前記データ記憶領域内のＤＣＩＭフォルダに格納する請求項２に記載の可搬記憶媒体。
【請求項８】
前記筐体および前記インタフェースは、ＳＤメモリカードと互換性を有するものである請求項１〜７のいずれか一項に記載の可搬記憶媒体。
【発明の詳細な説明】
【技術分野】
【０００１】
本発明は、電子機器の記憶媒体用スロットに装着可能な可搬記憶媒体に関する。
【背景技術】
【０００２】
データ記憶領域を有し、各種電子機器の記憶媒体用スロット（差込口）に着脱自在に装着される可搬記憶媒体（メモリカード）は、各種データを保存するものとして広く利用されている。可搬記憶媒体の例としては、ＳＤメモリカード、コンパクトフラッシュ（登録商標）（ＣＦ）、スマートメディア（ＳｍａｒｔＭｅｄｉａ）（登録商標）、メモリースティック（Ｍｅｍｏｒｙ  Ｓｔｉｃｋ）（登録商標）、ＭＭＣ（マルチメディアカード）、ｘＤピクチャーカード、ＵＳＢメモリ、およびこれら各メモリカードの派生品などがある。  
【０００３】
また、コンピュータの機能を拡張するために、拡張カードが用いられることがある。拡張カードは半導体基板にコネクタが付いたカードである。例えばコンピュータ本体に設けられた拡張カードを接続するための拡張スロットと呼ばれる差込口に拡張カードが装着されることで、コンピュータの機能が拡張される。
【０００４】
拡張カードの例としては、無線ＬＡＮカード（例えば、特許文献１参照）、Ｂｌｕｅｔｏｏｔｈ（登録商標）通信カード、ＰＨＳ通信カードなどがある。
【０００５】
拡張カードは、例えばディジタルカメラ（例えば、特許文献２参照）、コンピュータ、携帯電話などに装着されて利用される。
【０００６】
例えばＳＤメモリカードは、携帯電話やディジタルカメラなどのデータ保存用によく用いられるが、ＳＤメモリカードと同じ端子および形状のカードスロットを、コンピュータの機能を拡張するための半導体基板にコネクタがついた拡張カードにも利用できるようにした規格として、ＳＤＩＯがある。ＳＤＩＯに対応したスロットはＳＤＩＯスロット、拡張カードはＳＤＩＯカードとそれぞれ呼ばれる。
【０００７】
また、近年では、データ記憶機能に加えてさらに別の機能をも併せ持つ可搬記憶媒体もある。このような通常の可搬記憶媒体（メモリカード）と拡張カードとの両方の機能を併せ持つカードは、コンビネーションカードやマルチファンクションカードと呼ばれている（例えば、特許文献３参照）。
【０００８】
例えば、ＳＤＩＯに対応したコンビネーションカードの従来例として、ＳＤメモリカード本来のメモリ機能に加えて、無線ＬＡＮ機能を有するものがある。この場合、コンビネーションカード内にはデータ記憶領域、無線ＬＡＮ制御部およびＳＤＩＯコントローラが設けられており、ＳＤＩＯコントローラが無線ＬＡＮ制御部を制御することにより、無線ＬＡＮ機能を実現する。
【０００９】
【特許文献１】特開２００３−２８３９００号公報
【特許文献２】特開２００４−２２８９６６号公報
【特許文献３】特開２００６−６５５６０号公報
【発明の開示】
【発明が解決しようとする課題】
【００１０】
コンビネーションカードは、可搬記憶媒体（メモリカード）本来のメモリ機能のほかに、無線通信機能も利用することができるという利点があるものの、コンビネーションカードが装着される電子機器が当該無線通信機能に対応する規格を有していない場合には、無線通信機能を利用することができず、メモリ機能のみしか利用することができない。
【００１１】
例えば上述したＳＤＩＯに対応したコンビネーションカードでは、当該コンビネーションカードが装着される電子機器がＳＤＩＯに対応していない場合、コンビネーションカード内のＳＤＩＯコントローラは機能せず、したがってコンビネーションカード内の無線ＬＡＮ制御部をすることができない。
【００１２】
従って本発明の目的は、上記問題に鑑み、無線通信機能の規格に対応していない電子機器に対して無線機能を容易に追加することができるとともに、可搬記憶媒体間でのデータ転送を容易にする可搬記憶媒体を提供することにある。
【課題を解決するための手段】
【００１３】
上記目的を実現するために、本発明においては、データ記憶領域を有し、外部電子機器の記憶媒体用スロットに着脱自在に装着される可搬記憶媒体は、記憶媒体用スロットに装着可能な筐体と、データ記憶領域から読み出されたデータもしくはデータ記憶領域へ書き込まれるデータを、外部電子機器の記憶媒体用スロットに筐体が装着されたときに当該外部電子機器との間で通信するためのインタフェースと、データ記憶領域から読み出されたデータもしくはデータ記憶領域へ書き込まれるデータを、インタフェースを介さずに外部電子機器との間で無線通信するための、筐体内に設けられる無線通信部と、を備える。
【発明の効果】
【００１４】
本発明によれば、無線通信機能を有するコンビネーションカードの形式で可搬記憶媒体が構成されるので、通常の可搬記憶媒体（メモリカード）のデータ記憶機能を利用することはもちろん、無線通信機能を有していない既存の電子機器や無線通信機能のための拡張カードの規格に対応していない既存の電子機器であっても記憶媒体用スロットさえあれば、手軽に無線通信機能を当該電子機器に追加することができる。各電子機器が無線通信機能の規格に対応していなくても、これら各電子機器の記憶媒体用スロットに本発明による可搬記憶媒体をそれぞれ装着すれば、当該可搬記憶媒体が有する無線通信機能により、各可搬記憶媒体間におけるデータ転送を容易に実現することができる。すなわち、可搬記憶媒体の記憶媒体用スロットからの抜き挿し等を行わなくても、各可搬記憶媒体間でのデータ転送を容易に実現することができる。
【発明を実施するための最良の形態】
【００１５】
図１は、本発明の実施例による可搬記憶媒体の概略図である。本発明の実施例による可搬記憶媒体は、データ記憶機能と無線通信機能とを有するコンビネーションカード（参照符合１）であり、ここでは一例として、ＳＤＩＯに対応したＳＤメモリ（フラッシュメモリ）のコンビネーションカードとする。本発明の実施例では、コンビネーションカードを構成する可搬記憶媒体をＳＤメモリカードとしたが、それ以外の可搬記憶媒体（メモリカード）であってもよく、例えば、ミニＳＤメモリカード、マイクロＳＤメモリカード、コンパクトフラッシュ（登録商標）（ＣＦ）、スマートメディア（ＳｍａｒｔＭｅｄｉａ）（登録商標）、メモリースティック（Ｍｅｍｏｒｙ  Ｓｔｉｃｋ）（登録商標）、ＭＭＣ（マルチメディアカード）、ｘＤピクチャーカード、ＵＳＢメモリ、およびこれら各メモリカードの派生品などであってもよい。
【００１６】
無線通信機能を実現する通信方法としては、無線ＬＡＮ、Ｂｌｕｅｔｏｏｔｈ（登録商標）、ＵＷＢなどがある。
【００１７】
図１に示すように、データ記憶領域１０を有し、外部電子機器のＳＤメモリカード用スロットに着脱自在に装着される本発明の実施例によるコンビネーションカード１は、ＳＤメモリカード用スロットに装着可能な筐体１１と、データ記憶領域１０から読み出されたデータもしくはデータ記憶領域１０へ書き込まれるデータを、外部電子機器のＳＤメモリカード用スロットに筐体１１が装着されたときに当該外部電子機器との間で通信するためのインタフェース１２と、データ記憶領域１０から読み出されたデータもしくはデータ記憶領域１０へ書き込まれるデータを、インタフェース１２を介さずに外部電子機器との間で無線通信するための、筐体内１１に設けられる無線通信部１３と、を備える。なお、通常のＳＤメモリカードと同様に、コンビネーションカード１は、著作権保護機能回路（図示せず）をさらに備えてもよい。
【００１８】
筐体１１は、ＳＤメモリカードの筐体と同一形状とする。また、インタフェース１２は、ＳＤメモリカードのインタフェースと同一の規格を有する。すなわち、本発明の実施例によるコンビネーションカード１は、外部電子機器のＳＤメモリカード用スロットに着脱自在に装着されるＳＤメモリカードに対し、筐体およびインタフェースについて互換性を有するものである。これにより、本発明の実施例によるコンビネーションカード１を外部電子機器のＳＤメモリカード用スロットに装着することができ、この装着により、コンビネーションカード１はインタフェース１２を介して外部電子機器との間の電気的アクセスが可能となる。つまり、外部電子機器は、ＳＤメモリカード用スロットに装着されたコンビネーションカード１を、一般的なＳＤメモリカードと同等のものとして認識することができる。すなわち、通常のＳＤメモリカードと同様、外部電子機器のＳＤメモリカード用スロットにコンビネーションカード１が装着されたときに、データ記憶領域１０から読み出されたデータもしくはデータ記憶領域１０へ書き込まれるデータを、当該外部電子機器との間でインタフェース１２を介して通信することができる。
【００１９】
コンビネーションカード１内のデータ記憶領域１０には、通常のＳＤメモリカードと同様に、文書データ、画像データ、音楽データあるいは映像データなど一般的なデータを記憶することができる。
【００２０】
本発明の実施例によるコンビネーションカード１は、データ記憶領域１０から読み出されたデータもしくはデータ記憶領域１０へ書き込まれるデータを、インタフェース１２を介さずに外部電子機器との間で無線通信するための無線通信部１３を、筐体内１１に備える。
【００２１】
無線通信部１３は、所定の領域内に無線通信可能な外部電子機器が存在するか否かを検索する検索手段２１と、無線通信可能な外部電子機器を検索手段２１が検出した場合、当該外部電子機器の識別情報を取得する取得手段２２と、識別情報をデータ記憶領域に格納する格納手段２３と、を備える。これら検索手段２１、取得手段２２および格納手段２３は、例えば演算処理装置やメモリなどで構成すればよい。この代替例として、格納手段２３を、コンビネーションカード１内において、無線通信部１３以外の演算処理装置で実現してもよい。
【００２２】
図２は、本発明の実施例による可搬記憶媒体の無線通信機能の動作フローを説明するフローチャートである。
【００２３】
本発明の実施例によるコンビネーションカード１が、電子機器のＳＤカード用スロットに装着されると、コンビネーションカード１内の無線通信部１３は、図２のステップＳ１０１において、無線通信可能な範囲内に無線通信可能な外部電子機器が存在するか否かを検索する。ステップＳ１０１の処理は所定の周期で繰り返される。
【００２４】
ステップＳ１０１において、無線通信可能な外部電子機器が存在すると判定されると、ステップＳ１０２において、コンビネーションカード１内の取得手段２２は、検出された無線通信可能な外部電子機器の識別情報を取得する。本発明の実施例では、外部電子機器の識別情報は画像情報からなる。画像情報は、外部電子機器ごとに予め割り当てられている場合とそうでない場合とがある。ステップＳ１０２において、検出された無線通信可能な外部電子機器の画像情報があると判定された場合はステップＳ１０３へ進み、当該画像情報を取得する。一方、ステップＳ１０２において、検出された無線通信可能な外部電子機器の画像情報がないと判定された場合はステップＳ１０４へ進み、検索手段２１が検出した外部電子機器のＭＡＣアドレスに基づいて、取得手段２２は画像情報を生成する。
【００２５】
次いでステップＳ１０５において、コンビネーションカード１内の格納手段２３は、検出された無線通信可能な外部電子機器に対応する識別情報である画像情報を、データ記憶領域１０内のＤＣＩＭフォルダに画像データ形式で格納する。図３は、ＳＤメモリカードのフォルダ構成を示す図である。一般にＳＤメモリカードにおいては、データの種類に応じていくつかのフォルダに分けてデータを保存している。このうちＤＣＩＭフォルダは画像データの保存先となるフォルダであり、本発明の実施例では、検出された無線通信可能な外部電子機器に対応する画像情報をこのＤＣＩＭフォルダに格納する。なお、本発明の実施例における画像情報の画像データ形式には、例えばＪＰＥＧ、ＧＩＦ、ＴＩＦＦ、ＢＭＰ（ビットマップ）、ＰＮＧなどがある。
【００２６】
なお本発明の実施例では、識別情報は、検出された無線通信可能な外部電子機器に対応する画像情報としたが、検索手段が検出した外部電子機器のＭＡＣアドレスが記述された情報からなる設定ファイル（例えば、「ｓｅｔｕｐ．ｉｎｉ」など）としてもよい。
【００２７】
コンビネーションカード１内の無線通信部１３が無線通信することができる当該コンビネーションカードが装着された電子機器以外の外部電子機器は、外部電子機器内のＳＤメモリカード用スロットに、同じく本発明の実施例によるコンビネーションカードが装着された電子機器や、既に無線通信機能を有している電子機器である。本発明は、特に、無線通信機能を有していない既存の電子機器や無線通信機能のための拡張カードの規格に対応していない既存の電子機器であっても記憶媒体用スロットさえあれば、手軽に無線通信機能を当該電子機器に追加することができるという効果を奏する。
【００２８】
コンビネーションカード１内の無線通信部１３が無線通信可能な範囲内に、無線通信可能な外部電子機器が複数存在していた場合には、コンビネーションカード１内の検索手段２１は、複数の識別情報を検出することになる。本発明の実施例のように識別情報を画像情報とすることにより、ユーザは、無線通信の接続先を視覚的に識別することが容易となる。例えば、コンビネーションカード１が、ディジタルカメラのＳＤメモリカード用スロットに装着された場合はこのディジタルカメラの撮影写真プレビュー用のディスプレイに、コンピュータのＳＤメモリカード用スロットに装着された場合はこのコンピュータのディスプレイに、プリンタのＳＤメモリカード用スロットに装着された場合はこのプリンタの操作用ディスプレイに、これら画像情報を表示すれば、ユーザは、無線通信の接続先を容易に確認し、選択することができる。
【００２９】
図４は、本発明の実施例おいて検出された無線通信可能な外部電子機器の画像情報を例示する図である。図示の例では、電子機器のＳＤメモリカード用スロットに装着された本発明の実施例によるコンビネーションカード１内の無線通信部１３の検索手段２１が、無線通信可能な外部電子機器として、同じく本発明の実施例によるコンビネーションカードがＳＤメモリカード用スロットに装着されたプリンタおよび２つの携帯電話を検出した場合の画像情報を示している。このように無線接続可能な外部電子機器が複数存在する場合には、ディスプレイに表示された画像情報の中から、無線通信の接続先となる外部電子機器の画像を選択して、所望の無線通信接続を確立する。
【００３０】
本発明の実施例の変形例として、無線接続可能な外部電子機器ごとに、無線通信時の動作モードを予め設定できるようにしてもよい。例えば、ユーザのコンピュータ等の操作により、コンビネーションカード１内の無線通信部１３の格納手段２３は、上述の外部電子機器の識別情報とともに、当該外部電子機器との間における無線通信の通信条件に関する設定データを、データ記憶領域１０内のＤＣＩＭフォルダに格納するようにしてもよい。あるいは、コンビネーションカード１本体に、動作モードの切替えのためのハードスイッチを設けてもよい。
【００３１】
また、無線接続の許可をその都度確認するように設定してもよい。例えば、携帯電話の有するファイル名変更機能あるいはファイルの保護機能を利用して、それらに変更があった場合のみ無線接続を許可するようにしてもよい。
【００３２】
動作モードの例としては、更新されたデータのみを随時送受信するモード、データ記憶領域内に記憶されたデータを全て転送するモード、他のコンビネーションカード１内のデータ記憶領域に記憶されたデータの参照のみ可能とするモードなどがある。
【００３３】
図５は、本発明の実施例の変形例における、外部電子機器に対する無線通信の通信条件に関する設定データを例示する図である。図５に示す例では、コンビネーションカード１が通信可能な接続先である外部電子機器の識別情報を、画像情報ではなくＭＡＣアドレスとした場合において、コンビネーションカード１の無線通信先である外部電子機器のＭＡＣアドレスと、当該外部電子機器との間の動作モードとを設定ファイル（例えば、「ｓｅｔｕｐ．ｉｎｉ」など）に記述している。
【００３４】
図６は、本発明の実施例によるコンビネーションカードの利用例を示す模式図である。図示の例では、本発明の実施例によるコンビネーションカード１―Ａおよび１−Ｂを、ＳＤＩＯに対応していないディジタルカメラ１０１およびコンピュータ１０２の各ＳＤメモリカード用スロットにそれぞれ装着した場合を示している。ディジタルカメラ１０１のＭＡＣアドレスを「１１−２２−３３−４４−５５−６６」とし、コンピュータ１０２のＭＡＣアドレスを「９９−８８−７７−６６−５５−４４」とする。
【００３５】
ディジタルカメラ１０１で撮影して得られた画像データ２０１は、ディジタルカメラ１０１に装着されたコンビネーションカード１−Ａのデータ記憶領域に記憶される。コンビネーションカード１−Ａは、図２を参照して説明した外部電子機器の検索処理を随時実行しているが、コンビネーションカード１−Ａが装着されたディジタルカメラ１０１を、コンビネーションカード１−Ｂが装着されたコンピュータ１０２の無線通信可能な範囲に持ってくると、コンビネーションカード１−Ａは、コンビネーションカード１−Ｂの存在を検出して、コンビネーションカード１−Ｂが装着されたコンピュータ１０２の識別情報を取得し、コンビネーションカード１−Ａとコンビネーションカード１−Ｂとが無線通信可能な状態となる。コンビネーションカード１−Ａに記憶された画像データ２０１は、ＳＤメモリカードとしてのインタフェースを介さずに、コンビネーションカード１−Ａの無線通信部からコンビネーションカード１−Ｂの無線通信部へ転送され、そしてコンビネーションカード１−Ｂ内のデータ記憶領域に記憶される。コンピュータ１０２は、装着されたコンビネーションカード１−Ｂ内のデータ記憶領域に記憶された画像データ２０２を読み出してプリンタ１０３にプリントアウトさせる。このように本発明によれば、従来のようにＳＤメモリカードを抜き挿しすることなく、写真２０３を容易にプリントアウトすることができる。
【産業上の利用可能性】
【００３６】
本発明は、可搬記憶媒体（メモリカード）の機能を有するコンビネーションカードに適用することができる。本発明によるコンビネーションカードは、記憶媒体用スロットを有する電子機器であれば装着することができる。記憶媒体用スロットを有する電子機器としては、例えば、携帯電話、ＰＤＡ、ディジタルカメラ、携帯ゲーム機、ＭＰＥＧプレーヤなどの携帯型音楽プレーヤ、携帯ラジオ、画像ビューワ、電子辞書、電子手帳、電子ヘルスメータ、テレビ受像機、ＤＶＤプレーヤ、ビデオプレーヤ、ＣＤ・ＭＤコンポーネントステレオ、据え置き型ゲーム機、固定電話、ファクシミリ、プリンタ、コピー機、および、その他ネットワーク家電などがある。
【００３７】
本発明によれば、無線通信機能を有するコンビネーションカードの形式で可搬記憶媒体が構成されるので、通常の可搬記憶媒体（メモリカード）のデータ記憶機能を利用することはもちろん、無線通信機能を有していない既存の電子機器や無線通信機能のための拡張カードの規格に対応していない既存の電子機器であっても記憶媒体用スロットさえあれば、手軽に無線通信機能を当該電子機器に追加することができる。各電子機器が無線通信機能の規格に対応していなくても、これら各電子機器の記憶媒体用スロットに本発明による可搬記憶媒体をそれぞれ装着すれば、当該可搬記憶媒体が有する無線通信機能により、各可搬記憶媒体間におけるデータ転送を容易に実現することができる。すなわち、可搬記憶媒体の記憶媒体用スロットからの抜き挿し等を行わなくても、各可搬記憶媒体間でのデータ転送を容易に実現することができる。
【図面の簡単な説明】
【００３８】
【図１】本発明の実施例による可搬記憶媒体の概略図である。
【図２】本発明の実施例による可搬記憶媒体の無線通信機能の動作フローを説明するフローチャートである。
【図３】ＳＤメモリカードのフォルダ構成を示す図である。
【図４】本発明の実施例おいて検出された無線通信可能な外部電子機器の画像情報を例示する図である。
【図５】本発明の実施例の変形例における、外部電子機器に対する無線通信の通信条件に関する設定データを例示する図である。
【図６】本発明の実施例によるコンビネーションカードの利用例を示す模式図である。
【符号の説明】
【００３９】
１、１−Ａ、１−Ｂ    コンビネーションカード
１０    データ記憶領域
１１    筐体
１２    インタフェース
１３    無線通信部
２１    検索手段
２２    取得手段
２３    格納手段
１０１    ディジタルカメラ
１０２    コンピュータ
１０３    プリンタ
【図１】
2008158737.tif 000003
【図２】
2008158737.tif 000004
【図３】
2008158737.tif 000005
【図４】
2008158737.tif 000006
【図５】
2008158737.tif 000007
【図６】
2008158737.tif 000008